(57)【要約】【課題】光学式タッチパネルを有する構成でモード移行を的確に実現する。【解決手段】画面と複数の光源と複数の光センサーとを有し光源から出射された光が画面上を通過して光センサーに入射する構造を有するタッチパネルと、タッチパネルを制御する制御部とを備える表示装置であって、制御部は、光センサーによる光の検出値を調整するためのタッチパネルのキャリブレーションを実行し、キャリブレーション後のタッチパネルの状態が所定の移行条件を満たしているか否か判定し、当該移行条件を満たしていると判定した場合に表示装置を第１のモードから第２のモードへ移行させ、移行条件は、光源による発光の強度が第１のしきい値以上であるという条件と、光センサーによる検出値が第２のしきい値以下であるという条件と、光センサーによる検出値が第２のしきい値よりも大きい第３のしきい値以上であるという条件と、のうちいずれか一つを少なくとも含む。【選択図】図２
2017091341.tif 000002
【特許請求の範囲】
【請求項１】
画面と複数の光源と複数の光センサーとを有し光源から出射された光が画面上を通過して光センサーに入射する構造を有するタッチパネルと、
前記タッチパネルを制御する制御部と、を備える表示装置であって、
前記制御部は、前記光センサーによる光の検出値を調整するための前記タッチパネルのキャリブレーションを実行し、当該キャリブレーション後の前記タッチパネルの状態が所定の移行条件を満たしているか否か判定し、当該移行条件を満たしていると判定した場合に、前記表示装置を第１のモードから第２のモードへ移行させ、
前記移行条件は、前記光源による発光の強度が第１のしきい値以上であるという条件と、前記光センサーによる検出値が第２のしきい値以下であるという条件と、前記光センサーによる検出値が当該第２のしきい値よりも大きい第３のしきい値以上であるという条件と、のうちいずれか一つを少なくとも含むことを特徴とする表示装置。
【請求項２】
前記第３のしきい値は、前記画面上に障害物が無い場合に想定される前記キャリブレーション後の前記光センサーによる検出値よりも大きい値であることを特徴とする、請求項１に記載の表示装置。
【請求項３】
画面と複数の光源と複数の光センサーとを有し光源から出射された光が画面上を通過して光センサーに入射する構造を有するタッチパネルに組み合わせて用いられる指示器であって、
前記タッチパネルに組み合わされた場合に前記画面に接触する接触面と、
前記タッチパネルに組み合わされた場合に前記画面に沿う光を出射する複数の発光器と、を備えることを特徴とする指示器。
【請求項４】
前記タッチパネルに組み合わされた場合に、前記複数の発光器の少なくとも一つは対向する前記光センサーへ前記光源が出射する光よりも強度が高い光を出射することを特徴とする請求項３に記載の指示器。
【請求項５】
画面と複数の光源と複数の光センサーとを有し光源から出射された光が画面上を通過して光センサーに入射する構造を有するタッチパネルを備える表示装置が実行するモード設定方法であって、
前記光センサーによる光の検出値を調整するための前記タッチパネルのキャリブレーションを実行するキャリブレーション工程と、
前記キャリブレーション後、前記タッチパネルの状態が所定の移行条件を満たしているか否か判定する判定工程と、
前記移行条件を満たしていると判定した場合に、前記表示装置を第１のモードから第２のモードへ移行させるモード移行工程と、を含み、
前記移行条件は、前記光源による発光の強度が第１のしきい値以上であるという条件と、前記光センサーによる検出値が第２のしきい値以下であるという条件と、前記光センサーによる検出値が当該第２のしきい値よりも大きい第３のしきい値以上であるという条件と、のうちいずれか一つを少なくとも含むことを特徴とするモード設定方法。
【発明の詳細な説明】
【技術分野】
【０００１】
本発明は、表示装置、指示器およびモード設定方法に関する。
【背景技術】
【０００２】
タッチパネルを搭載した装置は、当該装置の検査やメンテナンス等のために、通常動作のモードとは異なる特殊モードへ移行することがある。
【０００３】
操作パネル部に設けられたスイッチのうち特定のスイッチ（あるいは特定の組み合わせのスイッチ）を押下げした状態で電源起動すると工場モードで起動するマルチファンクションプリンターが知られている（特許文献１参照）。
【０００４】
前記工場モードでは、製品出荷前に製品の各機能が正常であることを確認するプログラムが起動する。
【先行技術文献】
【特許文献】
【０００５】
【特許文献１】特開２０１５‐１４１５２７号公報
【発明の概要】
【発明が解決しようとする課題】
【０００６】
光学式タッチパネルを搭載した装置では、当該装置を起動させる起動シーケンスに従った処理の最中、タッチパネルのキャリブレーションを実行する設計が採用されているものがある。
【０００７】
このような装置では、起動シーケンス中に光学式タッチパネルの画面上に指等が在った場合、キャリブレーションにより指等を認識できなくなったり、キャリブレーションがエラーになったりすることがある。
【０００８】
本発明は上述の課題に鑑みてなされたものであり、光学式タッチパネルを有する構成におけるモード移行を的確に実現することを目的とする。
【課題を解決するための手段】
【０００９】
本発明の態様の１つは、画面と複数の光源と複数の光センサーとを有し光源から出射された光が画面上を通過して光センサーに入射する構造を有するタッチパネルと、前記タッチパネルを制御する制御部と、を備える表示装置であって、前記制御部は、前記光センサーによる光の検出値を調整するための前記タッチパネルのキャリブレーションを実行し、当該キャリブレーション後の前記タッチパネルの状態が所定の移行条件を満たしているか否か判定し、当該移行条件を満たしていると判定した場合に、前記表示装置を第１のモードから第２のモードへ移行させ、前記移行条件は、前記光源による発光の強度が第１のしきい値以上であるという条件と、前記光センサーによる検出値が第２のしきい値以下であるという条件と、前記光センサーによる検出値が当該第２のしきい値よりも大きい第３のしきい値以上であるという条件と、のうちいずれか一つを少なくとも含む。
【００１０】
当該構成によれば、制御部は、光学式タッチパネルのキャリブレーションを実行しつつ、前記移行条件が満たされているか否かの判定に応じてモードの移行を行うことができる。
【００１１】
本発明の態様の１つは、前記第３のしきい値は、前記画面上に障害物が無い場合に想定される前記キャリブレーション後の前記光センサーによる検出値よりも大きい値であるとしてもよい。
当該構成によれば、光学式タッチパネルの光源よりも強い光を発する機能を有する障害物を前記画面上に置くことにより、前記モードの移行を実現させることができる。
【００１２】
本発明の態様の１つは、画面と複数の光源と複数の光センサーとを有し光源から出射された光が画面上を通過して光センサーに入射する構造を有するタッチパネルに組み合わせて用いられる指示器であって、前記タッチパネルに組み合わされた場合に前記画面に接触する接触面と、前記タッチパネルに組み合わされた場合に前記画面に沿う光を出射する複数の発光器と、を備える構成としてもよい。
当該構成によれば、指示器を一種の障害物としてタッチパネルの画面上に置き、発光器を発光させることにより、タッチパネルを搭載した装置に前記モードの移行をさせることができる。
【００１３】
本発明の態様の１つは、前記指示器は、前記タッチパネルに組み合わされた場合に、前記複数の発光器の少なくとも一つは対向する前記光センサーへ前記光源が出射する光よりも強度が高い光を出射するとしてもよい。
当該構成によれば、タッチパネルを搭載した装置に、確実に前記モードの移行をさせることができる。
【００１４】
本発明の技術的思想は、表示装置や指示器という物以外によっても実現される。例えば、表示装置が実行する処理を方法（モード設定方法）の発明として捉えたり、指示器が実行する処理を方法の発明として捉えたりすることも可能である。また、これら各方法をハードウェアに実行させるプログラムを発明として捉えることも可能である。また、これらプログラムを記憶したコンピューター読取可能な記憶媒体を発明として捉えることができる。また、表示装置と指示器との組み合わせ（システム）を発明として捉えることも可能である。
【図面の簡単な説明】
【００１５】
【図１】表示装置の一例を示すブロック図。
【図２】特殊モードへの移行処理を示すフローチャート。
【図３】キャリブレーション後のタッチパネルの状態の一例を説明する図。
【図４】キャリブレーション後のタッチパネルの状態の他の例を説明する図。
【図５】画面に置かれた指示器等を例示する斜視図。
【図６】特定光センサー毎の検出値を例示する図。
【発明を実施するための形態】
【００１６】
以下、図面を参照しながら本発明の実施形態を説明する。
図１は、本実施形態にかかる表示装置１０の一例をブロック図により示している。表示装置１０は、概略、タッチパネル２０と、タッチパネル２０を駆動させる駆動部３０と、制御部４０と、を含んでいる。制御部４０は、駆動部３０やタッチパネル２０を始めとした表示装置１０が有する各構成の挙動をプログラムに基づいて統括的に制御する手段であり、実体的にはマイクロプロセッサー（ＭＰＵ）やメモリー等で構成されている。
【００１７】
表示装置１０とは、例えば図１に示す構成を含む装置の総称である。従って、タッチパネルとしても機能する表示装置を表示装置１０と称したり、タッチパネルとしても機能する表示装置を一部に含んだ電子機器を表示装置１０と称したりする。このような電子機器には、例えば、プリンター、ファクシミリ、スキャナー、コピー機、マルチファンクションプリンター（ＭＦＰ、いわゆる複合機）等、様々な製品が該当し得る。従って、図１は表示装置１０が有する構成のうち一部だけを示しているとも言える。
【００１８】
タッチパネル２０は、光学式タッチパネルである。タッチパネル２０は、画面２１、光源部２２，２３、受光部２４，２５、を含んでいる。画面２１は、例えば液晶ディスプレイであり、制御部４０による制御下で表示装置１０に関する様々な情報を表示する。光源部２２は、矩形の画面２１の外側において、画面２１の一辺に沿って並んだ複数の光源２２ａを有する。当該一辺と対向する画面２１の辺の外側には、当該対向する辺に沿って並んだ複数の光センサー２４ａを有する受光部２４が設けられている。一方、光源部２３は、画面２１の外側において、光源部２２が設けられた辺と隣接する一辺に沿って並んだ複数の光源２３ａを有する。また、光源部２３が設けられた辺と対向する画面２１の辺の外側には、当該対向する辺に沿って並んだ複数の光センサー２５ａを有する受光部２５が設けられている。
【００１９】
複数の光源２２ａ，２３ａは、例えば複数のＬＥＤであり、複数の光センサー２４ａ，２５ａは、例えば複数のフォトダイオードである。画面２１の四方の縁には、透明な樹脂等の素材によるベゼル２６が設けられていてもよい。ベゼル２６は、レンズとしても機能し、光源から出射した光は、ベゼル２６を通過して画面２１上を通過し、対向する位置の光センサーに入射する。
【００２０】
駆動部３０は、不図示のＣＰＵ等を始めとして、駆動用定電流源３１、デマルチプレクサ３２、電流検出部３３、マルチプレクサ３４等を含んでいる。駆動部３０は、駆動用定電流源３１に複数の光源２２ａ，２３ａを発光させるための電流を発生させ、デマルチプレクサ３２へ出力させる。デマルチプレクサ３２は、駆動用定電流源３２から出力された電流を各光源２２ａ，２３ａへ順に分配する。これにより、複数の光源２２ａ，２３ａは各々発光する。ある光源２２ａから出射された光は、画面２１上を通過し（画面２１に沿って進み）、対向する光センサー２４ａに入射する。同様に、ある光源２３ａから出射された光は、画面２１上を通過し、対向する光センサー２５ａに入射する。
【００２１】
光センサー２４ａ，２５ａは各々、入射した光量に応じた電流値（検出値）をマルチプレクサ３４へ出力する。マルチプレクサ３４は、複数の光センサー２４ａ，２５ａから入力した検出値を一つずつ（光センサー単位で）電流検出部３３へ出力する。電流検出部３３は、マルチプレクサ３４から入力した検出値をＡ／Ｄ変換する。これにより、駆動部３０は、デジタル値へ変換された検出値を得る。駆動部３０は、このような検出値を制御部４０へ順次出力する。
【００２２】
画面２１上の任意の位置に、人の指や指以外の物（以下、指等）が触れた場合、つまりタッチパネル２０への接触が有った場合、当該指等により一部の光源２２ａ，２３ａから一部の光センサー２４ａ，２５ａへ入射する光が遮られる。この結果、一部の光センサー２４ａ，２５ａによる検出値が低下する。タッチパネル２０への接触が無い状況では、光センサー２４ａ，２５ａによる検出値にこのような低下は見られない。従って、ある光センサーによる検出値が、予め定められた値（しきい値ＴＨ０）を下回るとき、当該光センサーが対応するタッチパネル２０上の位置への接触が有ったと見なすことができる。
【００２３】
制御部４０は、駆動部３０から入力した光センサー２４ａ，２５ａ毎の検出値のレベルを読むことにより、タッチパネル２０への接触の有無を検知し、タッチパネル２０への接触有りである場合には、当該接触が有った位置（画面２１上の座標）を演算することができる。例えば、光源部２２を構成する複数の光源２２ａの並びを光源側Ｘアレイと呼び、受光部２４を構成する複数の光センサー２４ａの並びを受光側Ｘアレイと呼ぶ。同様に、光源部２３を構成する複数の光源２３ａの並びを光源側Ｙアレイと呼び、受光部２５を構成する複数の光センサー２５ａの並びを受光側Ｙアレイと呼ぶ。制御部４０は、光源側Ｘアレイにおける光源２２ａの位置および受光側Ｘアレイにおける光センサー２４ａの位置を、共通の座標系（Ｘ座標系）で定義する。同様に、制御部４０は、光源側Ｙアレイにおける光源２３ａの位置および受光側Ｙアレイにおける光センサー２５ａの位置を、共通の座標系（Ｙ座標系）で定義する。このとき、制御部４０は、しきい値ＴＨ０より小さい検出値が得られた光センサー２４ａのＸ座標と、しきい値ＴＨ０より小さい検出値が得られた光センサー２５ａのＹ座標とを特定する演算を行う。これにより、制御部４０は、前記接触が有った画面２１上の座標を認識する。
【００２４】
なお、制御部４０と駆動部３０との役割の分担は、本実施形態で説明する通りでなくてもよい。例えば、制御部４０が行う処理の少なくとも一部を駆動部３０が実行してもよいし、逆に、駆動部３０が行う処理の少なくとも一部を制御部４０が実行してもよい。また、制御部４０と駆動部３０とをまとめて、タッチパネル２０を制御する制御部と称してもよい。
【００２５】
次に、表示装置１０の特殊モードへの移行処理について説明する。特殊モードとは、装置の検査やメンテナンス等のために用意されたモードであり、ユーザーが表示装置１０を通常使用する際のモードとは異なるモードである。前記文献１に示された工場モードは、特殊モードの例である。以下では、簡単のため、表示装置１０が有する特殊モード以外のモードを通常モードと呼ぶ。通常モードは、第１のモードの一例であり、特殊モードは、第２のモードの一例である。表示装置１０は、例えば、市場へ出荷される前の工場内での検査工程で、オペレーターによる操作を受けて特殊モードへ移行する。
【００２６】
図２は、特殊モードへの移行処理をフローチャートにより示している。当該移行処理は、本発明にかかるモード設定方法を表現している。オペレーターは、画面２１上の特定位置を指等で触れた状態を維持しながら当該移行処理を開始させる。特定位置とは、表示装置１０を特殊モードへ移行させるための予め定められた画面２１上の位置である。
【００２７】
ステップＳ１００では、表示装置１０は、電源オフ状態から電源オン状態へ移行する。つまり、オペレーターは、表示装置１０の電源ボタン（不図示）を押下げて、表示装置１０を電源オンにする。このとき制御部４０は、電源ボタンの押下げの操作に従い、通常モードで起動する。このように、起動時の最初の状態は、通常モードであるとする。
【００２８】
起動した制御部４０は、以後、予め定められたシーケンス（起動シーケンス）に従って処理を進めることにより、表示装置１０の全体を起動させる。起動シーケンスに従った処理の一部として、制御部４０は、タッチパネル２０を電源オン状態とする（ステップＳ１１０）。具体的には、制御部４０は、不図示の電源回路から駆動部３０への電源供給を開始させる。むろん、制御部４０は、電源回路から画面２１への電源供給も併せて開始してもよい。
【００２９】
次に、制御部４０は、タッチパネル２０の起動処理を開始する（ステップＳ１２０）。この場合、制御部４０は、タッチパネル２０の起動開始を駆動部３０に指示し、駆動部３０は、当該指示に応じて予め定められた手順でタッチパネル２０の起動を開始する。
次に、制御部４０は、駆動部３０と協働して光センサー２４ａ，２５ａによる検出値を調整するためのタッチパネル２０のキャリブレーションを実行する（ステップＳ１３０）。ステップＳ１３０は、キャリブレーション工程に該当する。キャリブレーションは、タッチパネル２０の起動処理に含まれる処理の一つである。キャリブレーションは、本来、画面２１への接触が無い状況で実行することが想定された処理である。
【００３０】
前記キャリブレーションの実行に際しては、駆動部３０は、光源２２ａ，２３ａを順次発光させ、制御部４０は、駆動部３０を介して光センサー２４ａ，２５ａによる検出値を順次取得する。制御部４０は、光センサー２４ａ，２５ａ毎の全ての検出値がしきい値ＴＨ０以上になるまで、光源２２ａ，２３ａの発光強度（明るさ）を駆動部３０に調整させる。制御部４０は、ある光センサー２４ａの検出値がしきい値ＴＨ０に達していなければ、当該光センサー２４ａと対向する位置の光源２２ａの発光強度を上げるように駆動部３０に指示する。駆動部３０は、このような指示に応じて、当該光源２２ａに流す電流を調整し、当該光源２２ａの発光強度を上げる。このようなタッチパネル２０のキャリブレーションにより、基本的には、光センサー２４ａ，２５ａ毎の全ての検出値がしきい値ＴＨ０以上となるように調整される。
【００３１】
次に、制御部４０は、前記キャリブレーション後のタッチパネル２０の状態を取得し（ステップＳ１４０）、当該状態が所定の移行条件を満たしているか否かを判定する（ステップＳ１５０）。ステップＳ１４０，Ｓ１５０は、判定工程に該当する。制御部４０は、当該移行条件を満たしていると判定した場合に（ステップＳ１５０において“Ｙｅｓ”）、表示装置１０のモードを特殊モードへ移行させる（ステップＳ１６０）。ステップＳ１６０は、モード移行工程に該当する。前記キャリブレーションが終了し、前記移行条件の判定（ステップＳ１５０）を行うタイミングでは、前記起動シーケンスによる表示装置１０の起動は既に完了していると考えて差し支えない。起動が完了した時点での表示装置１０は特殊モードではないため、通常モードである。従って、ステップＳ１６０では、表示装置１０のモードを、通常モードから特殊モードへ移行させる。一方、制御部４０は、前記移行条件を満たしていないと判定した場合（ステップＳ１５０において“Ｎｏ”）、表示装置１０のモードを通常モードのまま維持する（ステップＳ１７０）。
【００３２】
特殊モードでは、制御部４０は、表示装置１０の各機能、構成が正常に動作することを確認するための特定のプログラムを起動させる。オペレーターは、この特定のプログラムに従って表示装置１０の検査を行うことができる。
【００３３】
次に、前記移行条件の詳細について、幾つかの実施例を用いて説明する。
実施例１：
図３は、前記キャリブレーション後のタッチパネル２０の状態の一例を説明するための図である。図３の中央に示す矩形は、画面２１であり、画面２１内の円Ｃは、特殊モードへの移行処理（図２）の開始前から画面２１に触れているオペレーターの指等の位置を例示している。また、画面２１の上側には、光源側Ｘアレイにおいて各Ｘ座標（例えば、Ｘ＝Ｘ１〜Ｘ１０）に配置された光源２２ａ毎の発光強度ＸＬＬを例示している。発光強度は、前記キャリブレーションの結果、光源毎に与えられた電流の大きさをほぼ示している。同様に、画面２１の左側には、光源側Ｙアレイにおいて各Ｙ座標（例えば、Ｙ＝Ｙ１〜Ｙ６）に配置された光源２３ａ毎の発光強度ＹＬＬを例示している。
【００３４】
また図３において、画面２１の下側には、受光側Ｘアレイにおいて各Ｘ座標（Ｘ＝Ｘ１〜Ｘ１０）に配置された光センサー２４ａ毎の検出値ＸＲＬのレベルを例示している。同様に、画面２１の右側には、受光側Ｙアレイにおいて各Ｙ座標（Ｙ＝Ｙ１〜Ｙ６）に配置された光センサー２５ａ毎の検出値ＹＲＬのレベルを例示している。
【００３５】
図３の例では、光センサー２４ａ毎の検出値ＸＲＬおよび光センサー２５ａ毎の検出値ＹＲＬは、いずれもしきい値ＴＨ０を超えている。つまり、画面２１にオペレーターの指等が触れている状態ながらも、前記キャリブレーションが正常に実行された状態である。言い換えると、前記キャリブレーションの結果、制御部４０は、オペレーターの指等によって接触された画面２１上の座標を認識できなくなった。図３に例示するように、出射する光がオペレーターの指等（円Ｃ）によって一部遮られる位置に在る一部の光源（Ｘ＝Ｘ３，Ｘ４の各光源２２ａおよびＹ＝Ｙ３，Ｙ４の各光源２３ａ）は、それらの発光強度ＸＬＬ，ＹＬＬが、他の光源の発光強度に比べてかなり高くなっている。これは、対向する位置の光センサー（Ｘ＝Ｘ３，Ｘ４の各光センサー２４ａおよびＹ＝Ｙ３，Ｙ４の各光センサー２５ａ）による検出値ＸＲＬ，ＹＲＬがしきい値ＴＨ０を超えるように、前記キャリブレーションにより、当該一部の光源の発光強度が上げられたためである。
【００３６】
このような状況に鑑み、制御部４０は、光源の発光強度が予め定められた第１のしきい値（しきい値ＴＨ１）以上であるという条件（第１の条件）を、前記移行条件としてもよい。つまり、制御部４０は、前記キャリブレーション後のタッチパネル２０の状態として、複数の光源２２ａ，２３ａ毎の発光強度ＸＬＬ，ＹＬＬの情報を取得する（ステップＳ１４０）。そして、これら光源２２ａ，２３ａ毎の発光強度ＸＬＬ，ＹＬＬに、しきい値ＴＨ１以上となっているものがあるか否か判定し、図３の例のように、しきい値ＴＨ１以上の発光強度ＸＬＬ，ＹＬＬが存在する場合に、第１の条件が満たされている、つまり前記移行条件が満たされていると判定する（ステップＳ１５０において“Ｙｅｓ”）。
【００３７】
ただし制御部４０は、発光強度ＸＬＬ，ＹＬＬがしきい値ＴＨ１以上となる座標が特定位置であるか否かを併せて判定してもよい。ここでは一例として、Ｘ＝Ｘ３またはＸ４、Ｙ＝Ｙ３またはＹ４、で定義される画面２１上の座標が特定位置であるとする。つまり図３は、オペレーターの指等（円Ｃ）が画面２１上の特定位置に触れている場合を例示している。制御部４０は、このような特定位置に該当する座標の光源（Ｘ＝Ｘ３，Ｘ４の各光源２２ａおよびＹ＝Ｙ３，Ｙ４の各光源２３ａ）毎の発光強度ＸＬＬ，ＹＬＬの少なくとも一部が、しきい値ＴＨ１以上であるか否か判定する。そして、当該特定位置の光源毎の発光強度ＸＬＬ，ＹＬＬの少なくとも一部がしきい値ＴＨ１以上である場合に、第１の条件が満たされている、つまり前記移行条件が満たされていると判定する（ステップＳ１５０において“Ｙｅｓ”）、としてもよい。
【００３８】
このように、前記キャリブレーションを実行した影響でタッチパネル２０へのオペレーターの指等の接触を認識できなくなった状況であっても、制御部４０は、前記第１の条件を前記移行条件として採用することにより、当該接触の有無を実質的に認識できるようになった。その結果、オペレーターの指示に応じて特殊モードへの移行を的確に実行することができる。
【００３９】
実施例２：
図４は、前記キャリブレーション後のタッチパネル２０の状態であって、図３とは異なる例を説明するための図である。図４に示す各符号の意味は、図３と同様である。
図４の例では、対向する位置の光源から出射される光がオペレーターの指等（円Ｃ）によって一部遮られる位置に在る一部の光センサー（Ｘ＝Ｘ３，Ｘ４の各光センサー２４ａおよびＹ＝Ｙ３，Ｙ４の各光センサー２５ａ）は、それらの検出値ＸＲＬ，ＹＲＬがしきい値ＴＨ０に達していない。具体的には、当該一部の光センサーによる検出値ＸＲＬ，ＹＲＬは、しきい値ＴＨ０より低いしきい値ＴＨ２を下回るほど低い。これは、当該対向する位置の光源（Ｘ＝Ｘ３，Ｘ４の各光源２２ａおよびＹ＝Ｙ３，Ｙ４の各光源２３ａ）の発光強度ＸＬＬ，ＹＬＬを最大限まで上げたが、結局、当該一部の光センサーが殆ど受光できなかった場合を示している。つまり、画面２１にオペレーターの指等が触れていることに起因して、前記キャリブレーションが実質的に失敗して終了した状態である。タッチパネル２０の起動処理中、このようなエラー（キャリブレーション失敗）が生じると、制御部４０は、以後、タッチパネル２０への接触が有る場合と無い場合とを区別できない。そのため、制御部４０は、タッチパネル２０が正常に機能しないとの判断を下し、オペレーターの指等によって接触された画面２１上の座標を認識しなくなる。
【００４０】
このような状況に鑑み、制御部４０は、光センサーによる検出値が予め定められた第２のしきい値（しきい値ＴＨ２）以下であるという条件（第２の条件）を、前記移行条件としてもよい。つまり、制御部４０は、前記キャリブレーション後のタッチパネル２０の状態として、複数の光センサー２４ａ，２５ａ毎の検出値ＸＲＬ，ＹＲＬの情報を取得する（ステップＳ１４０）。そして、これら光センサー２４ａ，２５ａ毎の検出値ＸＲＬ，ＹＲＬに、しきい値ＴＨ２以下となっているものがあるか否か判定し、図４の例のように、しきい値ＴＨ２以下の検出値ＸＲＬ，ＹＲＬが存在する場合に、第２の条件が満たされている、つまり前記移行条件が満たされていると判定する（ステップＳ１５０において“Ｙｅｓ”）。
【００４１】
ただし制御部４０は、検出値ＸＲＬ，ＹＲＬがしきい値ＴＨ２以下となる座標が特定位置であるか否かを併せて判定してもよい。実施例２も実施例１と同様に、Ｘ＝Ｘ３またはＸ４、Ｙ＝Ｙ３またはＹ４、で定義される画面２１上の座標が特定位置であるとする。つまり図４は、オペレーターの指等（円Ｃ）が画面２１上の特定位置に触れている場合を例示している。制御部４０は、特定位置に該当する座標の光センサー（Ｘ＝Ｘ３，Ｘ４の各光センサー２４ａおよびＹ＝Ｙ３，Ｙ４の各光センサー２５ａ）毎の検出値ＸＲＬ，ＹＲＬの少なくとも一部がしきい値ＴＨ２以下である場合に、第２の条件が満たされている、つまり前記移行条件が満たされていると判定する（ステップＳ１５０において“Ｙｅｓ”）、としてもよい。
【００４２】
このように、前記キャリブレーションを実行した影響でタッチパネル２０へのオペレーターの指等の接触を認識できなくなった状況であっても、制御部４０は、前記第２の条件を前記移行条件として採用することにより、当該接触の有無を実質的に認識できるようになった。その結果、オペレーターの指示に応じて特殊モードへの移行を的確に実行することができる。
【００４３】
実施例３：
オペレーターは、特殊モードへの移行処理（図２）の開始に際し、指の替わりに指示器５０をタッチパネル２０に接触させてもよい。
図５は、画面２１の一部範囲と、画面２１上の特定位置に置かれた指示器５０等を斜視図により例示している。指示器５０は、タッチパネル２０に組み合わせて用いられる。図５では、タッチパネル２０が有する複数の光センサーのうちの一部（一例として、受光部２４に含まれる３つの光センサー２４ａ）を示している。指示器５０は、複数の光源（例えばＬＥＤ）を有する。指示器５０が有する光源を、発光器５１と呼ぶ。複数の発光器５１は、タッチパネル２０が有する光センサー同士の設置間隔とほぼ同じ間隔で並んで指示器５０に設置されている。図５の例では、発光器５１の数は３つである。
【００４４】
指示器５０は、タッチパネル２０に組み合わされた場合に画面２１に接触する接触面５２を有する。図５に示すように、指示器５０は、画面２１上の特定位置において、接触面５２を画面２１に接触させた状態で、各発光器５１が各光センサー２４ａと一対一で対向するように置かれる。ここで、指示器５０の角を画面２１の隅に押し当てたり、指示器５０の縁と画面２１の縁との一方を凸とし他方を凹として組み合わせたりすることで、指示器５０を画面２１上の特定位置に位置させる等、指示器５０や画面２１を、位置合わせを容易にする形状にしておくことが望ましい。以下では、画面２１上の特定位置に置かれた指示器５０の発光器５１と対向する位置の発光器５１と同数の光センサーを、特定光センサーと呼ぶ。特定光センサーは、受光部２５に含まれる光センサー２５ａであってもよい。特定位置および指示器５０が予め定まっている以上、特定光センサーに該当する光センサー２４ａ，２５ａも予め定まっている。
【００４５】
指示器５０は、さらに、各発光器５１の発光を制御するための回路（制御部５３）と、スイッチ５４とを有する。制御部５３は、スイッチ５４の押下げを検知したときに、各発光器５１を発光させる。発光器５１は、画面２１に沿う光を出射し、発光器５１から出射された光は、特定光センサーによって受光される。
【００４６】
指示器５０を画面２１上に置くことで、特定光センサーと対向する位置の光源（光源２２ａまたは光源２３ａ）から出射される光は指示器５０により遮られる。また、特定光センサーと対向しない位置の光源（光源２２ａまたは光源２３ａ）から出射される光は指示器５０により遮られずに光センサー２４ａ，２５ａに到達するようにしている。そのため、特定光センサーと対向する位置の光源から出射される光は、殆ど特定光センサーに受光されず、発光器５１を発光させていない指示器５０を画面２１上に置いた状態で特殊モードへの移行処理（図２）を開始した場合、ステップＳ１３０で実行されるタッチパネル２０のキャリブレーションは実施例２で説明したように失敗して終了する。
【００４７】
実施例３では、オペレーターは、表示装置１０の電源ボタンを押下げて表示装置１０を電源オンにする前（図２のフローチャートの開始前）に、画面２１上に置いた指示器５０のスイッチ５４を押す。スイッチ５４の押下げに応じて、制御部５３は各発光器５１を発光させる。各発光器５１は、タッチパネル２０の各光源２２ａ，２３ａよりも強い光を出射する能力を有する。また、制御部５３は、各発光器５１の発光強度を調整することも可能である。制御部５３は、発光器５１を、特定光センサーが少なくともしきい値ＴＨ２よりも高い（望ましくは、しきい値ＴＨ０以上の）検出値を得るような強さで発光させる。さらに、制御部５３は、発光器５１の少なくとも一つに、各光源２２ａ，２３ａが発光強度ＸＬＬ，ＹＬＬを最大限まで高めた場合の光よりも強度が高い（明るい）光を出射させる。この結果、特定光センサーの少なくとも一つは、しきい値ＴＨ０よりも大幅に高い検出値（後述のしきい値ＴＨ３以上の検出値）を得る。これによって、タッチパネル２０のキャリブレーション（ステップＳ１３０）を成功させることができる。
【００４８】
このような状況に鑑み、制御部４０は、光センサーによる検出値が第２のしきい値（しきい値ＴＨ２）よりも大きい予め定められた第３のしきい値（しきい値ＴＨ３）以上であるという条件（第３の条件）を、前記移行条件としてもよい。つまり、制御部４０は、前記キャリブレーション後のタッチパネル２０の状態として、特定光センサー毎の検出値の情報を取得する（ステップＳ１４０）。そして、これら特定光センサー毎の検出値に、しきい値ＴＨ３以上となっているものがあるか否か判定する。そして、特定光センサー毎の検出値の少なくとも一部がしきい値ＴＨ３以上である場合に、第３の条件が満たされている、つまり前記移行条件が満たされていると判定する（ステップＳ１５０において“Ｙｅｓ”）。なお、オペレーターが指示器５０を画面２１上の特定位置ではない位置に誤って置いた場合には、特定光センサーによる検出値がしきい値ＴＨ３以上になることは無く、その場合はステップＳ１５０において“Ｎｏ”の判定がなされる。
【００４９】
しきい値ＴＨ３は、画面２１上に障害物（指や指示器５０等の障害物）が無い場合に想定される前記キャリブレーション後の光センサーによる検出値よりも大きい値である。このような障害物が無い場合に想定される前記キャリブレーション後の光センサーによる検出値は、しきい値ＴＨ０を所定量程度超える値である。そのため、しきい値ＴＨ３は、しきい値ＴＨ０に当該所定量を加えた値よりも更に高い値である。発光器５１の少なくとも一つは、特定光センサーによる検出値がこのようなしきい値ＴＨ３を超えるような強い光を出射する。しきい値ＴＨ０，ＴＨ２，ＴＨ３の大小関係は、当然、ＴＨ２＜ＴＨ０＜ＴＨ３、である。
【００５０】
このように、前記キャリブレーションを実行した影響でタッチパネル２０への接触（指示器５０の接触）を認識できなくなった状況であっても、制御部４０は、前記第３の条件を前記移行条件として採用することにより、当該接触の有無を実質的に認識できる。また、オペレーターは、指示器５０を画面２１上の特定位置に置くことで特殊モードへの移行を指示することができるため、表示装置１０の検査にかかる作業負担を軽減することができる。
【００５１】
さらに実施例３によれば、指示器５０を用いることで複数種類の指示を表示装置１０に与えることができる。
図６は、指示器５０が有する発光器５１の発光を受けた各特定光センサーによる検出値を例示している。ここでは、受光部２４に含まれるある３つの光センサー２４ａを特定光センサーとしており、検出値は、検出値ＸＲＬである。図中の符号Ｌ１，Ｌ２，Ｌ３は、これら３つの光センサー２４ａ（特定光センサー）毎の検出値ＸＲＬを示している。上述したように指示器５０の制御部５３は、各発光器５１の発光強度を調整することが可能である。つまり、制御部５３は、発光器５１毎の発光強度を、対向する特定光センサーによる検出値がしきい値ＴＨ３を越えるように、あるいは、超えないように調整することができる。
【００５２】
便宜上、しきい値ＴＨ３未満の検出値をオフ信号、しきい値ＴＨ３以上の検出値をオン信号、と呼ぶ。図６の例では、符号Ｌ１およびＬ３で示す２つの検出値ＸＲＬがオン信号に該当し、残りの符号Ｌ２で示す検出値ＸＲＬがオフ信号に該当している。制御部５３による発光器５１毎の発光強度の調整次第で、符号Ｌ１，Ｌ２，Ｌ３で示す検出値ＸＲＬはそれぞれオン信号またはオフ信号となり得る。実施例３では、特定光センサー毎の検出した信号（オン信号またはオフ信号）が予め定めていた組み合わせである場合に、制御部４０は前記移行条件を満たすと判定する（ステップＳ１５０）ことができる。従って、図５の例のように指示器５０が有する発光器５１が３つ（特定光センサーが３つ）であれば、前記移行条件を満たす特定光センサー毎の検出値の組み合わせは、前記Ｌ１，Ｌ２，Ｌ３の全てがオフ信号である組み合わせを除いて、最大７通りとなる。つまり、制御部５３は、発光器５１毎の発光強度を調整することで、例えば７通りの異なる指示を表示装置１０（制御部４０）へ与えることができる。むろん、指示器５１の数が多ければ、このような指示の種類を増やすことができる。
【００５３】
これは、特殊モードが複数存在する場合に非常に有効である。つまり、上述のように制御部５３が複数通りの異なる指示（いずれも前記移行条件を満たす指示）を制御部４０に与えることができれば、そのとき実行させるべき特殊モードに予め対応付けた指示（前記オン／オフ信号の組み合わせ）を与えることにより、当該指示に対応する特殊モードを制御部４０に実行させることができる。制御部４０は、制御部５３から与えられ得る指示の種類と実行すべき特殊モードの種類との対応関係を規定した情報を予め有している。例えば、オペレーターは、スイッチ５４を押す回数を異ならせることで、制御部５３に異なる指示を行い、制御部５３は、この指示に応じた特殊モードを指示するために発光器５１毎の発光強度を調整する。あるいは、指示器５０は、表示装置１０の特殊モードの種類に応じたスイッチ５４を有するとしてもよい。オペレーターは、表示装置１０に実行させるべき特殊モードに対応したスイッチ５４を押下げる。そして制御部５３は、この押下げられたスイッチ５４に応じた特殊モードを指示するために発光器５１毎の発光強度を調整する。このような構成によれば、オペレーターは、画面２１上の特定位置に置いた指示器５０のスイッチ５４を任意に操作することで、所望の特殊モードへの移行を指示することができる。
【００５４】
まとめ：
以上の本実施形態によれば、表示装置１０の制御部４０は、タッチパネル２０のキャリブレーションを実行し、当該キャリブレーション後のタッチパネル２０の状態が所定の移行条件を満たしているか否か判定し、当該移行条件を満たしていると判定した場合に、表示装置１０を第１のモード（通常モード）から第２のモード（特殊モード）へ移行させる。そして、上述の実施例１，２，３を考慮すれば、前記移行条件は、タッチパネル２０の光源による発光強度が第１のしきい値（しきい値ＴＨ１）以上であるという第１の条件と、タッチパネル２０の光センサーによる検出値が第２のしきい値（しきい値ＴＨ２）以下であるという第２の条件と、当該光センサーによる検出値が第２のしきい値よりも大きい第３のしきい値（しきい値ＴＨ３）以上であるという第３の条件と、のうちいずれか一つを少なくとも含む。このような構成によれば、制御部４０は、光学式タッチパネル（タッチパネル２０）のキャリブレーションを実行しつつ、前記移行条件が満たされているか否かを判定して、つまりオペレーターからの指示の有無を実質的に認識して、モードの移行を適切に行うことができる。
【００５５】
本発明の実施に際し、表示装置１０（制御部４０）は、前記移行条件に第１の条件、第２の条件、第３の条件のいずれかを採用すればよい。あるいは、制御部４０は、第１の条件、第２の条件、第３の条件のいずれか一つ以上が成立すれば、前記移行条件を満たしていると判定してもよい。なお、オペレーターが制御部４０に対して、前記移行条件として第１の条件、第２の条件、第３の条件のいずれを採用するかを設定できるとしてもよい。さらに、第１の条件、第２の条件、第３の条件のいずれが満たされたかによって、異なる特殊モードへ移行する構成を採用してもよい。
また本発明は、光学式タッチパネルを有する装置が通常モードから特殊モードへ移行する実施例に限定されず、当該装置が、あるモード（第１のモード）から他のモード（第２のモード）へ移行する実施例に対して広く適用することができる。
【符号の説明】
【００５６】
１０…表示装置、２０…タッチパネル、２１…画面、２２，２３…光源部、２２ａ，２３ａ…光源、２４，２５…受光部、２４ａ，２５ａ…光センサー、３０…駆動部、３１…駆動用定電流源、３２…デマルチプレクサ、３３…電流検出部、３４…マルチプレクサ、４０…制御部、５０…指示器、５１…発光器、５２…接触面、５３…制御部、５４…スイッチ
【図１】
2017091341.tif 000003
【図２】
2017091341.tif 000004
【図３】
2017091341.tif 000005
【図４】
2017091341.tif 000006
【図５】
2017091341.tif 000007
【図６】
2017091341.tif 000008